(57)【特許請求の範囲】
【請求項１】
ＩＭＴ−２０００システム内に設けられたＢＳＭ、複数の制御局、及び複数の基地局内のサブブロックの状態を管理するＩＭＴ−２０００システムにおけるＴＭＮを利用した移動体通信網の管理装置であって、
ＢＳＭ、複数の制御局、及び複数の基地局内に設けられたサブブロックの状態情報、すなわち、構成、障害、性能、統計などのような情報をＴＭＮ方式を利用して管理し、ＩＴＵ−Ｔで勧告するＣＭＩＳＥサービス管理命令語をＢＳＭに伝送するＴＭＮ網管理センターと、
ＢＳＭ内にインストールされると共に、モデル化された管理オブジェクトクラスを有しており、管理オブジェクトクラスを利用してＢＳＭ内の各サブブロックの状態情報を収集した後、ＴＭＮ網管理センターに伝送する一方、ＴＭＮ網管理センターからＣＭＩＳＥサービス管理命令語を受信することに応じて内部の管理オブジェクトクラスの更新動作を行うＴＭＮ中継器と、
前記複数の制御局の各々に設けられると共に、モデル化された管理オブジェクトクラスを有しており、管理オブジェクトクラスを利用して制御局内の各サブブロックの状態情報を収集した後、前記ＴＭＮ網管理センターに伝送する一方、管理する複数の基地局の中で該当基地局から伝送された該当サブブロックに関する状態情報をＴＭＮ網管理センターに伝送し、ＢＳＭ内の前記ＴＭＮ中継器からＣＭＩＳＥサービス管理命令語を受信することに応じて内部の管理オブジェクトクラスの更新動作を行うローカルＴＭＮ中継器と、
複数の基地局の各々にインストールされて、内部のサブブロックの状態情報を各々収集した後、制御局内のローカルＴＭＮ中継器に伝送するサブブロック状態管理部と
を備えたことを特徴とするＩＭＴ−２０００システムにおけるＴＭＮを利用した移動体通信網の管理装置。
【請求項２】
基地局または制御局内のサブブロックから状態情報が発生した時のＩＭＴ−２０００システムにおけるＴＭＮを利用した移動体通信網の管理方法であって、
各制御局内のローカルＴＭＮ中継器において、管理する基地局から構成、障害、性能、統計などのような状態情報が発生したか否かを判断する第１のステップと、
該第１のステップにおいて、管理する複数の基地局から構成、障害、性能、統計などのような状態情報が発生しなければ、複数の制御局内のローカルＴＭＮ中継器において、サブブロックから構成、障害、性能、統計などのような状態情報が発生したか否かを判断する第２のステップと、
前記第２のステップにおいて、制御局内のサブブロックから構成、障害、性能、統計などのような状態情報が発生しなければ、ローカルＴＭＮ中継器において、再び前記第１のステップに進む一方、制御局内のサブブロックから構成、障害、性能、統計などのような状態情報が発生すれば、ローカルＴＭＮ中継器において、状態情報をＢＳＭ内のＴＭＮ中継器に伝送する第３のステップと、
ＢＳＭ内のＴＭＮ中継器において、該当制御局内のローカルＴＭＮ中継器で伝送した状態情報を受信した後、ＴＭＮ網管理センターに伝送する第４のステップと、
ＴＭＮ網管理センターにおいて、ＢＳＭ内のＴＭＮ中継器で伝送した特定の制御局内のサブブロックの状態情報を受信した後、ＴＭＮ方式を利用して該当制御局の管理オペレーションを行う第５のステップと
を備えたことを特徴とするＩＭＴ−２０００システムにおけるＴＭＮを利用した移動体通信網の管理方法。
【請求項３】
前記第１のステップにおいて、管理する複数の基地局から構成、障害、性能、統計などのような状態情報が発生すれば、各制御局内のローカルＴＭＮ中継器において、特定基地局内のサブブロックの状態情報をＢＳＭ内のＴＭＮ中継器に伝送する第６のステップと、
ＢＳＭ内のＴＭＮ中継器におてい、各制御局内のローカルＴＭＮ中継器で伝送した特定の基地局内のサブブロックの状態情報を各々受信した後、ＴＭＮ網管理センターに伝送する第７のステップと、
ＴＭＮ網管理センターにおいて、ＢＳＭ内のＴＭＮ中継器で伝送した特定の基地局内の状態情報を受信した後、ＴＭＮ方式を利用して該当制御局の管理オペレーションを行う第８のステップと
をさらに備えたことを特徴とする請求項２に記載のＩＭＴ−２０００システムにおけるＴＭＮを利用した移動体通信網の管理方法。
【請求項４】
ＴＭＮ網管理センターからＣＭＩＳＥサービス管理命令語が発生した時のＩＭＴ−２０００システムにおけるＴＭＮを利用した移動体通信網の管理方法であって、
ＴＭＮ網管理センターにおいて、ＣＭＩＳＥサービス管理命令語をＢＳＭ内のＴＭＮ中継器に伝送する第１のステップと、
ＢＳＭ内のＴＭＮ中継器において、ＴＭＮ網管理センターからＣＭＩＳＥサービス管理命令語を受信すると共に、ＣＭＩＳＥサービス管理命令語が適用される命令語であるか否かを判断する第２のステップと、
該第２のステップにおいて、ＣＭＩＳＥサービス管理命令語が適用される命令語でなければ、ＢＳＭ内のＴＭＮ中継器において、ＣＭＩＳＥサービス管理命令語を該当制御局内のローカルＴＭＮ中継器に伝送する第３のステップと、
該当制御局内のローカルＴＭＮ中継器において、ＢＳＭ内のＴＭＮ中継器からＣＭＩＳＥサービス管理命令語を受信すると共に、ＣＭＩＳＥサービス管理命令語が状態情報の収集命令語であるか、サブブロックリセット命令語であるか、管理オブジェクトの生成命令語であるか、若しくは、管理オブジェクトの削除命令語であるか否かを判断する第４のステップと、
該第４のステップにおいて、ＣＭＩＳＥサービス管理命令語が状態情報の収集命令語であるならば、該当制御局内のローカルＴＭＮ中継器において、該当制御局、または該当基地局内のサブブロックの状態情報の収集動作を行った後、結果をＴＭＮ網管理センターに伝送する第５のステップと、
ＴＭＮ網管理センターにおいて、該当制御局内のローカルＴＭＮ中継器から、該当制御局内のサブブロック、または該当基地局内のサブブロックの状態情報を受信した後、ＴＭＮ方式を利用して該当制御局及び基地局を管理する第６のステップと
を備えたことを特徴とするＩＭＴ−２０００システムにおけるＴＭＮを利用した移動体通信網の管理方法。
【請求項５】
前記第５のステップは、
該当制御局内のローカルＴＭＮ中継器において、状態情報の収集命令語が制御局内のサブブロックに該当するか、管理する基地局内のサブブロックに該当するか否かを判断する判断ステップと、
該判断ステップにおいて、状態情報の収集命令語がサブブロックに該当する命令語であるならば、該当制御局内のローカルＴＭＮ中継器において、管理オブジェクトクラスを利用してサブブロックの状態情報を収集する収集ステップと、
該当制御局内のローカルＴＭＮ中継器において、該当サブブロックの状態情報をＢＳＭ内のＴＭＮ中継器を介してＴＭＮ網管理センターに伝送する伝送ステップと
を備えたことを特徴とする請求項４に記載のＩＭＴ−２０００システムにおけるＴＭＮを利用した移動体通信網の管理方法。
【請求項６】
前記判断ステップにおいて、状態情報の収集命令語が管理する該当基地局のサブブロックに該当する命令語であるならば、該当制御局内のローカルＴＭＮ中継器において、該当基地局内のサブブロックの状態管理部に状態情報の収集命令語を伝送する第２の伝送ステップと、
該当基地局内のサブブロックの状態管理部において、該当制御局内のローカルＴＭＮ中継器で伝送した状態情報の収集命令語を受信した後、該当サブブロックに関連した状態情報を収集する第２の収集ステップと、
該当基地局内のサブブロックの状態管理部において、該当サブブロックの状態情報を制御局内のローカルＴＭＮ中継器に伝送する第３の伝送ステップと、
該当制御局内のローカルＴＭＮ中継器において、該当基地局内のサブブロックの状態管理部から該当基地局内のサブブロックの状態情報を受信した後、ＢＳＭ内のＴＭＮ中継器を介してＴＭＮ網管理センターに伝送する第４の伝送ステップと
を備えたことを特徴とする請求項５に記載のＩＭＴ−２０００システムにおけるＴＭＮを利用した移動体通信網の管理方法。
【請求項７】
前記第４のステップにおいて、ＣＭＩＳＥサービス管理命令語がサブブロックリセット命令語であるならば、該当制御局内のローカルＴＭＮ中継器において、該当サブブロック、または該当基地局内のサブブロックのリセット動作を強制的に行い、リセットの結果信号をＴＭＮ網管理センターに伝送する第７ステップと、
ＴＭＮ網管理センターにおいて、該当制御局内のローカルＴＭＮ中継器から、該当制御局内のサブブロック、または該当基地局内のサブブロックのリセット成功か否かの結果信号を受信した後、結果信号に応じて該当制御局または基地局を管理する第８ステップと
をさらに備えたことを特徴とする請求項４に記載のＩＭＴ−２０００システムにおけるＴＭＮを利用した移動体通信網の管理方法。
【請求項８】
前記第７のステップは、
該当制御局内のローカルＴＭＮ中継器において、サブブロックリセット命令語がサブブロックに該当する命令語であるか、管理する基地局内のサブブロックに該当する命令語であるか否かを判断する判断ステップと、
該判断ステップにおいて、サブブロックリセット命令語がサブブロックに該当する命令語であるならば、該当制御局内のローカルＴＭＮ中継器において、モデル化された管理オブジェクトクラスを利用して該当サブブロックを強制的にリセットし、リセットの結果をＴＭＮ網管理センターに伝送する伝送ステップと
を備えたことを特徴とする請求項７に記載のＩＭＴ−２０００  システムにおけるＴＭＮを利用した移動体通信網の管理方法。
【請求項９】
前記判断ステップにおいて、サブブロックリセット命令語が、管理する該当基地局内のサブブロックに該当する命令語であるならば、該当制御局内のローカルＴＭＮ中継器におてい、該当基地局内のサブブロック状態管理部にサブブロックリセット命令語を伝送する第２の伝送ステップと、
該当基地局内のサブブロック状態管理部において、該当制御局内のローカルＴＭＮ中継器で伝送したサブブロックリセット命令語を受信した後、該当サブブロックを強制的にリセットし、リセットの結果信号を該当制御局内のローカルＴＭＮ中継器に伝送する第３の伝送ステップと、
該当制御局内のローカルＴＭＮ中継器において、基地局内のサブブロック状態管理部から、リセットの結果信号を受信した後、ＢＳＭ内のＴＭＮ中継器を介してＴＭＮ網管理センターに伝送する第４の伝送ステップと
をさらに備えたことを特徴とする請求項８に記載のＩＭＴ−２０００システムにおけるＴＭＮを利用した移動体通信網の管理方法。
【請求項１０】
前記第４のステップにおいて、ＣＭＩＳＥサービス管理命令語が管理オブジェクトの生成命令語であるならば、該当制御局内のローカルＴＭＮ中継器において、内部にモデル化された管理オブジェクトの中、該当管理オブジェクトを生成し、生成の結果信号をＢＳＭ内のＴＭＮ中継器を介してＴＭＮ網管理センターに伝送する第７のステップと、
ＴＭＮ網管理センターにおいて、該当制御局内のローカルＴＭＮ中継器から、生成の結果信号を受信した後、結果信号に応じてＴＭＮ方式を利用して該当制御局を管理する第８ステップと
をさらに備えたことを特徴とする請求項４に記載のＩＭＴ−２０００システムにおけるＴＭＮを利用した移動体通信網の管理方法。
【請求項１１】
前記第４のステップにおいて、ＣＭＩＳＥサービス管理命令語が管理オブジェクトの削除命令語であるならば、該当制御局内のローカルＴＭＮ中継器において、内部にモデル化された管理オブジェクトの中、該当管理オブジェクトを削除し、削除の結果信号をＢＳＭ内のＴＭＮ中継器を介してＴＭＮ網管理センターに伝送する第７のステップと、
ＴＭＮ網管理センターにおいて、該当制御局内のローカルＴＭＮ中継器から、削除の結果信号を受信した後、結果信号に応じてＴＭＮ方式を利用して該当制御局を管理する第８のステップと
をさらに備えたことを特徴とする請求項４に記載のＩＭＴ−２０００システムにおけるＴＭＮを利用した移動体通信網の管理方法。
【請求項１２】
前記第２のステップにおいて、ＣＭＩＳＥサービス管理命令語がＢＳＭに該当する命令語であるならば、ＢＳＭ内のＴＭＮ中継器において、ＣＭＩＳＥサービス管理命令語に応じてサブブロックの状態情報の収集動作、サブブロックリセット動作、管理オブジェクトの生成動作、または、管理オブジェクトの削除動作の少なくとも１つを行った後、結果値をＴＭＮ網管理センターに伝送する第７ステップと、
前記ＴＭＮ網管理センターにおいて、ＢＳＭ内のＴＭＮ中継器から受信した結果信号に応じてＴＭＮ方式を利用してＢＳＭを管理する第８ステップと
をさらに備えたことを特徴とする請求項４に記載のＩＭＴ−２０００システムにおけるＴＭＮを利用した移動体通信網の管理方法。
【請求項１３】
前記第７ステップは、
ＢＳＭ内のＴＭＮ中継器において、ＣＭＩＳＥサービス管理命令語が状態情報の収集命令語であるか、サブブロックリセット命令語であるか、管理オブジェクトの生成命令語であるか、管理オブジェクトの削除命令語であるか否かを判断する判断ステップと、
該判断ステップにおいて、ＣＭＩＳＥサービス管理命令語が状態情報の収集命令語であるならば、ＢＳＭ内のＴＭＮ中継器において、管理オブジェクトクラスを利用して該当サブブロックの状態情報を収集する収集ステップと、
ＢＳＭ内のＴＭＮ中継器において、収集された該当サブブロックの状態情報をＴＭＮ網の管理センターに伝送する伝送ステップと
を備えたことを特徴とする請求項１２に記載のＩＭＴ−２０００システムにおけるＴＭＮを利用した移動体通信網の管理方法。
【請求項１４】
前記収集ステップにおいて、ＣＭＩＳＥサービス管理命令語がサブブロックリセット命令語であるならば、ＢＳＭ内のＴＭＮ中継器において、管理オブジェクトクラスを利用して該当サブブロックを強制的にリセットし、リセットの結果信号をＴＭＮ網の管理センターに伝送する第２の伝送ステップをさらに備えたことを特徴とする請求項１３に記載のＩＭＴ−２０００システムにおけるＴＭＮを利用した移動体通信網の管理方法。
【請求項１５】
前記収集ステップにおいて、ＣＭＩＳＥサービス管理命令語が管理オブジェクトの生成命令語であるならば、ＢＳＭ内のＴＭＮ中継器において、モデル化された管理オブジェクトクラスの中で該当管理オブジェクトを生成した後、生成の結果信号をＴＭＮ網の管理センターに伝送する第２の伝送ステップをさらに備えたことを特徴とする請求項１３に記載のＩＭＴ−２０００システムにおけるＴＭＮを利用した移動体通信網の管理方法。
【請求項１６】
前記収集ステップにおいて、ＣＭＩＳＥサービス管理命令語が管理オブジェクトの削除命令語であるならば、ＢＳＭ内のＴＭＮ中継器において、モデル化された管理オブジェクトクラスの中で該当管理オブジェクトを削除した後、削除の結果信号をＴＭＮ網の管理センターに伝送する第２の伝送ステップをさらに備えたことを特徴とする請求項１３に記載のＩＭＴ−２０００システムにおけるＴＭＮを利用した移動体通信網の管理方法。
【発明の詳細な説明】
【０００１】
【発明が属する技術分野】
本発明は、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００システムにおけるＴＭＮ（Ｔｅｌｅｃｏｍｍｕｎｉｃａｔｉｏｎ  Ｍａｎａｇｅｍｅｎｔ  Ｎｅｔｗｏｒｋ、以下ＴＭＮという）を利用した移動体通信網の管理装置及びその方法に関し、さらに詳細には、標準化された網管理方法であるＴＭＮ方式を利用して、ＩＭＴ−２０００通信網を標準化された方法で管理し得るようにするＩＭＴ−２０００システムにおけるＴＭＮを利用した移動体通信網の管理装置及びその方法に関する。
【０００２】
【従来の技術】
周知のように、一般的な概念としてのＴＭＮとは、”電気通信網サービス（ｔｅｌｅｃｏｍｍｕｎｉｃａｔｉｏｎ  ｎｅｔｗｏｒｋ  ＆  ｓｅｒｖｉｃｅ）を管理するために、運用システム（Ｏｐｅｒａｔｉｏｎ  Ｓｙｓｔｅｍ）と通信網構成装備とを標準インタフェースで連結し、このインタフェースを介して必要な管理情報を相互交換する論理的な構造を意味し、電気通信網の管理（ＴＭ：  Ｔｅｌｅｃｏｍｍｕｎｉｃａｔｉｏｎ  Ｍａｎａｇｅｍｅｎｔ）を体系的にサポートする下部構造である。
【０００３】
一方、上述したＴＭＮは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）Ｍ．３０１０で勧告している標準化された網管理方法として、移動体通信網でも適用して使用することができるが、この場合、移動体通信網を構成する各要素をオブジェクト指向的な観点から分析して管理オブジェクト（ＭＯ：  Ｍａｎａｇｅｄ  Ｏｂｊｅｃｔ）と定義して管理することとなる。
【０００４】
ここで、上述した管理オブジェクト（ＭＯ）は、管理目的のために資源を抽象化して表現したものであって、属性（ａｔｔｒｉｂｕｔｅ）、振る舞い（ｂｅｈａｖｉｏｕｒ）、管理オペレーション（ｍａｎａｇｅｍｅｎｔ  ｏｐｅｒａｔｉｏｎ）、通知（ｎｏｔｉｆｉｃａｔｉｏｎ）等で定義され、各管理オブジェクトは、属性を有しており、通知を外部に伝送し、管理オペレーションに従属している。
【０００５】
また、上述した管理オブジェクト（ＭＯ）は、共通の特性（属性、管理オペレーション、振る舞い、通知）を有する管理オブジェクト同士で集合をなし得るし、その管理オブジェクトの集合を管理オブジェクトクラス（ＭＯ  ｃｌａｓｓ）という。
【０００６】
一方、現在盛んに開発が進められているＩＭＴ−２０００システムは、そのＩＭＴ−２０００移動体通信網を管理するために標準化されたＴＭＮ方式を採択して使用しなかった。また、前記ＩＭＴ−２０００システムの前段階であるＣＤＭＡ（Ｃｏｄｅ  Ｄｉｖｉｓｉｏｎ  Ｍｕｌｔｉｐｌｅ  Ａｃｃｅｓｓ）／ＰＳＣ（Ｐｅｒｓｏｎａｌ  Ｃｏｍｍｕｎｉｃａｔｉｏｎ  Ｓｅｒｖｉｃｅ）システムもやはり、通信サービス業者の網管理システムへのアクセス時のみにＴＭＮ方式を一部使用しただけであって、内部管理情報に対してＴＭＮ方式の統合された管理方式を採択しなかった。そして、上述したＣＤＭＡ／ＰＳＣシステムにＴＭＮ管理方式を適用した場合、ＢＳＭ（Ｂａｓｅ  Ｓｔａｔｉｏｎ  Ｍａｎａｇｅｒ）システムのみにモデル化された管理オブジェクトをサポートするだけで、制御局及び基地局には、モデル化された管理オブジェクトをサポートしなかった。
【０００７】
【発明が解決しようとする課題】
したがって、従来のＩＭＴ−２０００システムでは、管理オブジェクトを利用した標準化され最適化された管理が不可能であったし、これにより今後管理オブジェクトに対する拡張性及び再使用性が困難であるという解決すべき課題が従来技術にはあった。
【０００８】
本発明は、このような課題に鑑みてなされたもので、その目的とするところは、標準化された網管理の方法であるＴＭＮ方式を利用してＩＭＴ−２０００通信網を標準化された方法により管理できるようにすることによって、管理オブジェクトの拡張性及び再使用性、そしてシステム管理の最適化をなすための、ＩＭＴ−２０００システムにおけるＴＭＮを利用した移動体通信網の管理装置及びその方法を提供することにある。
【０００９】
また、もう一つの目的は、ＩＭＴ−２０００通信網を、ＴＭＮ方式を利用して管理する時、その適用範囲をＢＳＭのみでなく、制御局まで適用させて管理するための、ＩＭＴ−２０００システムにおけるＴＭＮを利用した移動体通信網の管理装置及びその方法を提供することにある。
【００１０】
【課題を解決するための手段】
上記目的を達成するため、本発明は、ＩＭＴ−２０００システム内に設けられたＢＳＭ、複数の制御局、及び複数の基地局内のサブブロックの状態を管理するＩＭＴ−２０００移動体通信網の管理装置において、前記ＢＳＭ、複数の制御局、及び複数の基地局内に設けられたサブブロックの状態情報、すなわち、構成、障害、性能、統計などのような情報をＴＭＮ（Ｔｅｌｅｃｏｍｍｕｎｉｃａｔｉｏｎ  Ｍａｎａｇｅｍｅｎｔ  Ｎｅｔｗｏｒｋ）方式を利用して管理し、ＩＴＵ−Ｔで勧告するＣＭＩＳＥ（Ｃｏｍｍｏｎ  Ｍａｎａｇｅｍｅｎｔ  Ｉｎｆｏｒｍａｔｉｏｎ  Ｓｅｒｖｉｃｅ  Ｅｌｅｍｅｎｔ）サービス管理命令語を前記ＢＳＭに伝送するＴＭＮ網管理センターと、前記ＢＳＭ内に装着されると共に、モデル化された管理オブジェクトクラスを有しており、その管理オブジェクトクラスを利用して自分が属するＢＳＭ内の各サブブロックの状態情報を収集した後、前記ＴＭＮ網管理センターに伝送する一方、前記ＴＭＮ網管理センターからＣＭＩＳＥサービス管理命令語を受信すれば、これに応じて自分の管理オブジェクトクラスの更新動作を行うＴＭＮ中継器と、前記複数の制御局内に各々設けられると共に、モデル化された管理オブジェクトクラスを有しており、その管理オブジェクトクラスを利用して自分が属する制御局内の各サブブロックの状態情報を収集した後、前記ＴＭＮ網管理センターに伝送する一方、自分が管理する複数の基地局の中でその当基地局から該当サブブロックに関する状態情報が伝送されれば、その状態情報を前記ＴＭＮ網管理センターに伝送し、前記ＢＳＭ内のＴＭＮ中継器からＣＭＩＳＥサービス管理命令語を受信すれば、これに応じて自分の管理オブジェクトクラスの更新動作を行うローカルＴＭＮ中継器と、前記複数の基地局内に各々設けられて、自分のサブブロックの状態情報を各々収集した後、前記制御局内のローカルＴＭＮ中継器に伝送するサブブロック状態管理部とから構成されることを特徴とするＩＭＴ−２０００システムにおけるＴＭＮを利用した移動体通信網の管理装置が提供される。
【００１１】
また、上記目的を達成するため、本発明は、基地局または制御局内のサブブロックから状態情報が発生した時のＴＭＮを利用した移動体通信網の管理方法において、複数の制御局内のローカルＴＭＮ中継器が、自分が管理する基地局から構成、障害、性能、統計などのような状態情報が発生したか否かを各々判断する第１−１ステップと、前記第１−１ステップで自分が管理する複数の基地局から構成、障害、性能、統計などのような状態情報が発生しなければ、前記複数の制御局内のローカルＴＭＮ中継器が自分のサブブロックから構成、障害、性能、統計などのような状態情報が発生したか否かを各々判断する第１−２ステップと、前記第１−２ステップで制御局内のサブブロックから構成、障害、性能、統計などのような状態情報が発生しなければ、前記ローカルＴＭＮ中継器が再び前記第１−１ステップに進行する一方、制御局内のサブブロックから構成、障害、性能、統計などのような状態情報が発生すれば、前記ローカルＴＭＮ中継器がその状態情報を前記ＢＳＭ内のＴＭＮ中継器に各々伝送する第１−３ステップと、前記ＢＳＭ内のＴＭＮ中継器が該当制御局内のローカルＴＭＮ中継器で伝送した状態情報を受信した後、ＴＭＮ網管理センターに伝送する第１−４ステップと、前記ＴＭＮ網管理センターが前記ＢＳＭ内のＴＭＮ中継器で伝送した特定の制御局内のサブブロックの状態情報を受信した後、ＴＭＮ方式を利用して該当制御局の管理オペレーションを行う第１−５ステップとからなることを特徴とするＩＭＴ−２０００システムにおけるＴＭＮを利用した移動体通信網の管理方法が提供される。
【００１２】
また、上記目的を達成するため、本発明は、ＴＭＮ網管理センターからＣＭＩＳＥサービス管理命令語が発生した時のＴＭＮを利用した移動体通信網の管理方法において、前記ＴＭＮ網管理センターがＣＭＩＳＥサービス管理命令語を前記ＢＳＭ内のＴＭＮ中継器に伝送する第２−１ステップと、前記ＢＳＭ内のＴＭＮ中継器が前記ＴＭＮ網管理センターからＣＭＩＳＥサービス管理命令語を受信すると共に、そのＣＭＩＳＥサービス管理命令語が自分に適用される命令語であるか否かを判断する第２−２ステップと、前記第２−２ステップでＣＭＩＳＥサービス管理命令語が自分に適用される命令語でなければ、前記ＢＳＭ内のＴＭＮ中継器がそのＣＭＩＳＥサービス管理命令語を該当制御局内のローカルＴＭＮ中継器に伝送する第２−３ステップと、該当制御局内のローカルＴＭＮ中継器が前記ＢＳＭ内のＴＭＮ中継器からＣＭＩＳＥサービス管理命令語を受信すると共に、そのＣＭＩＳＥサービス管理命令語が状態情報の収集命令語であるか、サブブロックリセット命令語であるか、管理オブジェクトの生成命令語であるか、でなければ、管理オブジェクトの削除命令語であるか否かを判断する第２−４ステップと、前記第２−４ステップでＣＭＩＳＥサービス管理命令語が状態情報の収集命令語であるならば、前記該当制御局内のローカルＴＭＮ中継器が自分の該当サブブロック、または該当基地局内のサブブロックの状態情報の収集動作を行った後、その結果値を前記ＴＭＮ網管理センターに伝送する第２−５ステップと、前記ＴＭＮ網管理センターが前記該当制御局内のローカルＴＭＮ中継器から該当制御局内のサブブロック、または該当基地局内のサブブロックの状態情報を受信した後、ＴＭＮ方式を利用して該当制御局及び基地局を管理する第２−６ステップとからなることを特徴とするＩＭＴ−２０００システムにおけるＴＭＮを利用した移動体通信網の管理方法が提供される。
【００１３】
【発明の実施の形態】
以下、本発明の一実施の形態のＩＭＴ−２０００システムにおけるＴＭＮを利用した移動体通信網の管理装置及びその方法について、図面を参照しながら説明する。
【００１４】
図１は、本発明の一実施の形態のＩＭＴ−２０００システムにおけるＴＭＮを利用した移動体通信網の管理装置の機能ブロック図である。本発明の一実施の形態のＩＭＴ−２０００システムにおけるＴＭＮを利用した移動体通信網の管理装置は、ＴＭＮ網の管理センター１００、ＢＳＭ２００内に設けられたＴＭＮ中継器２０１、複数個の制御局３００−１〜３００−ｎ内に各々設けられたローカル（Ｌｏｃａｌ）ＴＭＮ中継器（例えば符号３０１）、及び複数個の基地局４００−１〜４００−ｎ内に各々設けられたサブブロック状態管理部（例えば４０１）から構成されている。
【００１５】
上記ＴＭＮ網管理センター１００は、前記ＢＳＭ２００、複数個の制御局３００−１〜３００−ｎ、及び複数個の基地局４００−１〜４００−ｎ内に設けられたサブブロック（例えば符号２０２−１〜２０２−ｎ、３０２−１〜３０２−ｎ、４０２−１〜４０２−ｎ）の状態情報、すなわち構成、障害、性能、統計などのような情報をＴＭＮ方式を利用して管理すると共に、ＩＴＵ−Ｔで勧告するＣＭＩＳＥサービス管理命令語、すなわち、サブブロック状態情報の収集命令語、サブブロックリセット命令語、管理オブジェクトの生成命令語、及び管理オブジェクトの削除命令語を前記ＢＳＭ２００内のＴＭＮ中継器２０１に伝送する役割をする。
【００１６】
また、前記ＢＳＭ２００内に設けられたＴＭＮ中継器２０１は、図２に示すように、モデル化された管理オブジェクトクラスを有しており、その管理オブジェクトクラスを利用して自分が属するＢＳＭ２００内の各サブブロック２０２−１〜２０２−ｎの状態情報を収集した後、前記ＴＭＮ網管理センター１００に伝送する一方、前記ＴＭＮ網管理センター１００からＣＭＩＳＥ（Ｃｏｍｍｏｎ  Ｍａｎａｇｅｍｅｎｔ  Ｉｎｆｏｒｍａｔｉｏｎ  Ｓｅｒｖｉｃｅ  Ｅｌｅｍｅｎｔ）サービス管理命令語を受信すれば、これに応じて自分の管理オブジェクトクラス（ＭＯ  Ｃｌａｓｓ）の更新動作、すなわち、サブブロック状態情報の収集動作、サブブロックリセット動作、管理オブジェクトの生成動作及び管理オブジェクトの削除動作を行う役割をする。
【００１７】
一方、上記複数個の制御局３００−１〜３００−ｎ内に各々設けられたローカルＴＭＮ中継器（例えば符号３０１）は、図２に示すように、モデル化された管理オブジェクトクラスを有しており、その管理オブジェクトクラスを利用して自分が属する制御局、例えば３００−１内の各サブブロック３０２−１〜３０２−ｎの状態情報を収集した後、前記ＴＭＮ網管理センター１００に伝送する。一方、自分が管理する複数個の基地局４００−１〜４００−ｎの内、例えば該当基地局４００−１から該当サブブロック４０２−１に関する状態情報が伝送されれば、その状態情報を前記ＴＭＮ網管理センター１００に伝送し、前記ＢＳＭ２００内のＴＭＮ中継器２０１からＣＭＩＳＥサービス管理命令語を受信すれば、これに応じて自分の管理オブジェクトクラスの更新動作、すなわちサブブロック状態情報の収集動作、サブブロックリセット動作、管理オブジェクトの生成動作及び管理オブジェクトの削除動作を行う役割をする。
【００１８】
また、前記複数個の基地局４００−１〜４００−ｎ内に各々設けられたサブブロック状態管理部、例えば４０１は、自分のサブブロック例えば４０２−１の状態情報を各々収集した後、上記制御局３００−１内のローカルＴＭＮ中継器３０１に伝送する役割をする。
【００１９】
以下では、上記のような構成を有するＩＭＴ−２０００システムにおけるＴＭＮを利用した移動体通信網の管理装置を利用した、本発明の一実施の形態のＩＭＴ−２０００システムにおけるＴＭＮを利用した移動体通信網の管理方法について説明する。
【００２０】
まず、下記では上記ローカルＴＭＮ中継器３０１及び上記ＴＭＮ中継器２０１内に存在するＴＭＮ管理オブジェクトクラスのモデル化方法について、図２、図３を参照しながら説明する。参考に、図２に示されたＴＭＮ管理オブジェクトクラスモデルは、”（株）現代電子”でＩＭＴ−２０００移動体通信網のＴＭＮ管理のためにモデル化したものである。
【００２１】
最初に、運用者は、ＩＭＴ−２０００移動体通信網のＢＳＭ２００、複数個の制御局３００−１〜３００−ｎ及び複数個の基地局４００−１〜４００−ｎ内の各種の管理資源を収集した後、現在ＴＭＮでサポートする標準管理情報モデルと関連させて管理オブジェクトを定義する。
【００２２】
この場合、現在ＴＭＮでサポートする標準管理情報モデルには、図３に示すように、汎用管理モデルであるＸ．７２１、Ｍ３１００で勧告する管理オブジェクトクラス、管理機能で定義された管理オブジェクトであるＸ．７３０、Ｘ．７４０、Ｑ．８２１、Ｑ．８２２で勧告する管理オブジェクトクラス、及び移動体通信分野の管理情報モデルであるＧＳＭ１２．００、１２．０４、１２．２０、ＡＮＳＩ  Ｔ１．２４４で勧告する管理オブジェクトクラスなどがある。
【００２３】
次いで、運用者は、図３に示すように、ＩＭＴ−２０００移動体通信網のＢＳＭ２００、複数個の制御局３００−１〜３００−ｎ及び多数個の基地局４００−１〜４００−ｎ内の各種の管理資源を、現在ＴＭＮでサポートする標準管理情報モデルと直接連結させて再使用するか、標準管理情報モデルを変更して使用するか、でなければ、標準管理情報モデルを変更して使用せず、新規に規定して使用するか否かを決定し、以後、その決定に応じてＴＭＮ管理オブジェクトをモデル化する。よって、図２に示すような管理オブジェクトクラスのモデル化が行われることとなるのである。
【００２４】
参考に、図２に示すＴＭＮ管理オブジェクトクラスモデルの中で現在ＴＭＮでサポートする標準管理情報モデルを再使用した管理オブジェクトクラスは、図４に示すものと同様であり、現在ＴＭＮでサポートする標準管理情報モデルを変更させて使用した管理オブジェクトクラスは、図５に示すものと同様であり、現在ＴＭＮでサポートする標準管理情報モデルを使用せず、新規に規定した管理オブジェクトクラスは、図６に示す通りである。
【００２５】
以下では，本発明の一実施の形態のＩＭＴ−２０００システムにおけるＴＭＮを利用した移動体通信網の管理方法の中で、基地局または制御局内のサブブロックから状態情報が発生した時のＴＭＮを利用した移動体通信網の管理方法について、図７を参照しながら説明する。
【００２６】
図７は、本発明の一実施の形態に係るＩＭＴ−２０００システムにおけるＴＭＮを利用した移動体通信網の管理方法の中で、基地局または制御局内のサブブロックから状態情報が発生した時のＴＭＮを利用した移動体通信網の管理方法を示すフローチャートである。
【００２７】
最初に、ステップＳ１−１で、複数個の前記制御局３００−１〜３００−ｎ内のローカルＴＭＮ中継器（例えば３０１）は、自分が管理する基地局４００−１〜４００−ｎから構成、障害、性能、統計などのような状態情報が発生したか否かを各々判断する。
【００２８】
この場合、ステップＳ１−２で、上記ステップＳ１−１で自分が管理する複数個の基地局４００−１〜４００−ｎから構成、障害、性能、統計などのような状態情報が発生しなければ、上記複数個の制御局３００−１〜３００−ｎ内のローカルＴＭＮ中継器（例えば３０１）は、自分のサブブロック（３０２−１〜３０２−ｎ）から構成、障害、性能、統計などのような状態情報が発生したか否かを各々判断する。ここで、上記複数個の制御局３００−１〜３００−ｎ内のローカルＴＭＮ中継器（例えば３０１）が自分のサブブロック３０２−１〜３０２−ｎの状態情報を把握する方法は、図２に示すような該当ＴＭＮ管理オブジェクトクラスを利用することであり、各ＴＭＮ管理オブジェクトクラスは、自分の固有の状態情報の把握動作を行った後、”ＴＯＰ”管理オブジェクトに伝送することによって、複数個のサブブロック３０２−１〜３０２−ｎの状態情報を収集することである。
【００２９】
上記ステップＳ１−２で上記制御局３００−１〜３００−ｎ内のサブブロック３０２−１〜３０２−ｎから構成、障害、性能、統計などのような状態情報が発生しなければ、上記ローカルＴＭＮ中継器（例えば３０１）は、再び上記ステップＳ１−１に進行する一方、ステップＳ１−３で、制御局３００−１〜３００−ｎ内のサブブロック３０２−１〜３０２−ｎから構成、障害、性能、統計などのような状態情報が発生すれば、上記ローカルＴＭＮ中継器（例えば３０１）は、その状態情報を上記ＢＳＭ２００内のＴＭＮ中継器２０１に各々伝送する。
【００３０】
次いで、ステップＳ１−４で、上記ＢＳＭ２００内のＴＭＮ中継器２０１は、該当制御局３００−１〜３００−ｎ内のローカルＴＭＮ中継器（例えば３０１）で伝送した状態情報を受信した後、上記ＴＭＮ網管理センター１００に伝送する。
【００３１】
また、ステップＳ１−５で、上記ＴＭＮ網管理センター１００は、上記ＢＳＭ２００内のＴＭＮ中継器２０１で伝送した特定の制御局３００−１〜３００−ｎ内のサブブロック３０２−１〜３０２−ｎの状態情報を受信した後、ＴＭＮ方式を利用して該当制御局の管理オペレーションを行う。
【００３２】
それに対し、ステップＳ１−６で、上記ステップＳ１−１で自分が管理する複数個の基地局４００−１〜４００−ｎから構成、障害、性能、統計などのような状態情報が発生すれば、上記複数個の制御局３００−１〜３００−ｎ内のローカルＴＭＮ中継器（例えば３０１）は、その特定の基地局（４００−１〜４００−ｎ内の１つ）内のサブブロック（例えば４０２−１）の状態情報を上記ＢＳＭ２００内のＴＭＮ中継器２０１に各々伝送する。
【００３３】
次いで、ステップＳ１−７で、上記ＢＳＭ２００内のＴＭＮ中継器２０１は、上記複数個の制御局３００−１〜３００−ｎ内のローカルＴＭＮ中継器（例えば３０１）で伝送した特定の基地局（４００−１〜４００−ｎ内の１つ）内のサブブロック（例えば４０２−１）の状態情報を各々受信した後、上記ＴＭＮ網管理センター１００に伝送する。
【００３４】
また、ステップＳ１−８で、上記ＴＭＮ網管理センター１００は、上記ＢＳＭ２００内のＴＭＮ中継器２０１で伝送した特定の基地局４００−１〜４００−ｎ内の状態情報を受信した後、ＴＭＮ方式を利用して該当制御局の管理オペレーションを行う。
【００３５】
一方、下記では、本発明の一実施の形態に係るＩＭＴ−２０００システムにおけるＴＭＮを利用した移動体通信網の管理方法の中で、ＴＭＮ網管理センターからＣＭＩＳＥサービス管理命令語が発生した時のＴＭＮを利用した移動体通信網の管理方法について、図８〜１０を参照しながら説明する。
【００３６】
図８〜１０は、本発明の一実施の形態のＩＭＴ−２０００システムにおけるＴＭＮを利用した移動体通信網の管理方法の中で、ＴＭＮ網管理センターからＣＭＩＳＥサービス管理命令語が発生した時のＴＭＮを利用した移動体通信網の管理方法を示すフローチャートである。
【００３７】
まず、図８のステップＳ２−１で、上記ＴＭＮ網管理センター１００は、ＣＭＩＳＥサービス管理命令語を上記ＢＳＭ２００内のＴＭＮ中継器２０１に伝送する。
【００３８】
そうすると、ステップＳ２−２で、上記ＢＳＭ２００内のＴＭＮ中継器２０１は、上記ＴＭＮ網管理センター１００からＣＭＩＳＥサービス管理命令語を受信すると共に、そのＣＭＩＳＥサービス管理命令語が自分に適用される命令語であるか、そうでなければ、上記制御局３００−１〜３００−ｎに適用される命令語であるか否かを判断する。
【００３９】
この場合、ステップＳ２−３で、上記ステップＳ２−２でＣＭＩＳＥサービス管理命令語が自分に適用される命令語ではなければ、上記ＢＳＭ２００内のＴＭＮ中継器２０１は、そのＣＭＩＳＥサービス管理命令語を該当制御局（３００−１〜３００−ｎの１つ）内のローカル中継器（例えば３０１）に伝送する。
【００４０】
次いで、ステップＳ２−４で、該当制御局（３００−１〜３００−ｎの１つ）内のローカルＴＭＮ中継器（例えば３０１）は、上記ＢＳＭ２００内のＴＭＮ中継器２０１からＣＭＩＳＥサービス管理命令語を受信すると共に、そのＣＭＩＳＥサービス管理命令語が状態情報の収集命令語であるか、サブブロックリセット命令語であるか、管理オブジェクトの生成命令語であるか、そうでなければ、管理オブジェクトの削除命令語であるか否かを判断する。
【００４１】
ステップＳ２−５で、上記ステップＳ２−４でＣＭＩＳＥサービス管理命令語が状態情報の収集命令語であるならば、上記該当制御局（３００−１〜３００−ｎの１つ）内のローカルＴＭＮ中継器（例えば３０１）は、自分の該当サブブロック３０２−１〜３０２−ｎまたは該当基地局（４００−１〜４００−ｎ内の１つ）内のサブブロック（例えば４０２−１）の状態情報の収集動作を行った後、その結果値を上記ＴＭＮ網管理センター１００に伝送する。
【００４２】
以下では、上記ステップＳ２−５のさらに具体的な動作過程について図１１を参照しながら説明する。
【００４３】
まず、ステップＳ２−５−１で、上記該当制御局（３００−１〜３００−ｎの１つ）内のローカルＴＭＮ中継器（例えば３０１）は、その状態情報の収集命令語が自分のサブブロック３０２−１〜３０２−ｎに該当する命令語であるか、或いは、自分が管理する基地局（４００−１〜４００−ｎ内の１つ）内のサブブロック（例えば４０２−１）に該当する命令語であるか否かを判断する。
【００４４】
ステップＳ２−５−２で、上記ステップＳ２−５−１でその状態情報の収集命令語が自分のサブブロック３０２−１〜３０２−ｎに該当する命令語であるならば、上記該当制御局（３００−１〜３００−ｎの１つ）内のローカルＴＭＮ中継器（例えば３０１）は、図２に示された管理オブジェクトクラスを利用して該当サブブロック（例えば３０２−１）の状態情報を収集する。
【００４５】
次いで、ステップＳ２−５−３で、上記該当制御局（３００−１〜３００−ｎの１つ）内のローカルＴＭＮ中継器（例えば３０１）は、その該当サブブロック（例えば３０２−１）の状態情報を上記ＢＳＭ２００内のＴＭＮ中継器２０１を介して上記ＴＭＮ網管理センター１００に伝送する。
【００４６】
一方、ステップＳ２−５−４で、上記ステップＳ２−５−１でその状態情報の収集命令語が自分が該当する該当基地局（４００−１〜４００−ｎ内の１つ）のサブブロック（例えば４０２−１）に該当する命令語であるならば、上記該当制御局（３００−１〜３００−ｎの１つ）内のローカルＴＭＮ中継器（例えば３０１）は、該当基地局（４００−１〜４００−ｎ内の１つ）内のサブブロック状態管理部（例えば４０１）にその状態情報の収集命令語を伝送する。
【００４７】
次いで、ステップＳ２−５−５で、上記該当基地局（４００−１〜４００−ｎ内の１つ）内のサブブロック状態管理部（例えば４０１）は、上記該当制御局３００−１内のローカルＴＭＮ中継器３０１で伝送した状態情報の収集命令語を受信した後、該当サブブロック（例えば４０２−１）に関連した状態情報を収集する。
【００４８】
次いで、ステップＳ２−５−６で、上記該当基地局（４００−１〜４００−ｎ内の１つ）内のサブブロック状態管理部（例えば４０１）は、その該当サブブロック（例えば４０２−１）の状態情報を上記制御局３００−１内のローカルＴＭＮ中継器３０１に伝送する。
【００４９】
次いで、ステップＳ２−５−７で、上記該当制御局３００−１内のローカルＴＭＮ中継器３０１は、該当基地局（４００−１〜４００−ｎ内の１つ）内のサブブロック状態管理部（例えば４０１）から該当基地局（例えば４００−１）内のサブブロック（例えば４０２−１）の状態情報を受信した後、上記ＢＳＭ２００内のＴＭＮ中継器２０１を介して上記ＴＭＮ網管理センター１００に伝送する。
【００５０】
また、ステップＳ２−６で、上記ＴＭＮ網管理センター１００は、上記該当制御局（３００−１〜３００−ｎの１つ）内のローカルＴＭＮ中継器（例えば３０１）から該当制御局（例えば３００）内のサブブロック３０２−１〜３０２−ｎ、または該当基地局（４００−１〜４００−ｎ内の１つ）内のサブブロック（例えば４０２−１）の状態情報を受信した後、ＴＭＮ方式を利用して該当制御局（３００−１〜３００−ｎの１つ）及び基地局（４００−１〜４００−ｎ内の１つ）を管理する。
【００５１】
ステップＳ２−７で、上記ステップＳ２−４でＣＭＩＳＥサービス管理命令語がサブブロックリセット命令語であるならば、上記該当制御局（３００−１〜３００−ｎの１つ）内のローカルＴＭＮ中継器（例えば３０１）は、自分の該当サブブロック３０２−１〜３０２−ｎまたは該当基地局（４００−１〜４００−ｎ内の１つ）内のサブブロック４０２−１〜４０２−ｎのリセット動作を強制的に行った後、その成功か否かの結果信号を上記ＴＭＮ網管理センター１００に伝送する。
【００５２】
以下では、上記ステップＳ２−７のさらに具体的な動作過程について図１２を参照しながら説明する。
【００５３】
まず、ステップＳ２−７−１で、上記該当制御局（３００−１〜３００−ｎの１つ）内のローカルＴＭＮ中継器（例えば３０１）は、そのサブブロックリセット命令語が自分のサブブロック３０２−１〜３０２−ｎに該当する命令語であるか、或いは、自分が管理する基地局（４００−１〜４００−ｎ内の１つ）内のサブブロック（例えば４０２−１）に該当する命令語であるか否かを判断する。
【００５４】
この場合、ステップＳ２−７−２で、上記ステップ２−７−１でそのサブブロックリセット命令語が自分のサブブロック（例えば３０２−１）に該当する命令語であるならば、上記該当制御局（例えば３００−１）内のローカルＴＭＮ中継器３０１は、図２に示された管理オブジェクトクラスを利用して該当サブブロック３０２−１〜３０２−ｎを強制的にリセットさせた後、その成功か否かの結果信号を上記ＴＭＮ網管理センター１００に伝送する。
【００５５】
一方、ステップＳ２−７−３で、上記ステップＳ２−７−１でそのサブブロックリセット命令語が自分が管理する該当基地局（４００−１〜４００−ｎ内の１つ）内のサブブロック（例えば４０２−１）に該当する命令語であるならば、上記該当制御局３００−１内のローカルＴＭＮ中継器３０１は、該当基地局（４００−１〜４００−ｎ内の１つ）内のサブブロック状態管理部（例えば４０１）にそのサブブロックリセット命令語を伝送する。
【００５６】
次いで、ステップＳ２−７−４で、上記該当基地局（４００−１〜４００−ｎ内の１つ）内のサブブロック状態管理部（例えば４０１）は、上記該当制御局３００−１内のローカルＴＭＮ中継器３０１で伝送したサブブロックリセット命令語を受信した後、該当サブブロック（例えば４０２−１）を強制的にリセットさせた後、その成功か否かの結果信号を上記該当制御局３００−１内のローカルＴＭＮ中継器３０１に伝送する。
【００５７】
また、ステップＳ２−７−５で、上記該当制御局３００−１内のローカルＴＭＮ中継器３０１は、上記基地局（４００−１〜４００−ｎ内の１つ）内のサブブロック状態管理部（例えば４０１）からサブブロックリセット成功か否かの結果信号を受信した後、上記ＢＳＭ２００内のＴＭＮ中継器２０１を介して上記ＴＭＮ網管理センター１００に伝送する。
【００５８】
次いで、ステップＳ２−８で、上記ＴＭＮ網管理センター１００は、上記該当制御局３００−１内のローカルＴＭＮ中継器３０１から該当制御局３００−１内のサブブロック３０２−１〜３０２−ｎ、または該当基地局（４００−１〜４００−ｎ内の１つ）内のサブブロック４０２−１〜４０２−ｎのリセット成功か否かの結果信号を受信した後、その結果信号に応じて該当制御局３００−１または基地局（例えば４００−１）をＴＭＮ方式を利用して管理する。
【００５９】
それに対し、上記ステップＳ２−４でＣＭＩＳＥサービス管理命令語が管理オブジェクトの生成命令語であるならば、ステップＳ２−９で、上記該当制御局（例えば３００−１）内のローカルＴＭＮ中継器３０１は、自分の内部にモデル化された管理オブジェクトの中で該当管理オブジェクトを生成した後、その成功か否かの結果信号を上記ＢＳＭ２００内のＴＭＮ中継器２０１を介して上記ＴＭＮ網管理センター１００に伝送する。
【００６０】
次いで、ステップＳ２−１０で、上記ＴＭＮ網管理センター１００は、上記該当制御局３００−１内のローカルＴＭＮ中継器３０１から管理オブジェクトの生成に関する成功か否かの結果信号を受信した後、その結果信号に応じてＴＭＮ方式を利用して該当制御局３００−１を管理する。
【００６１】
一方、上記ステップＳ２−４でＣＭＩＳＥサービス管理命令語が管理オブジェクトの削除命令語であるならば、ステップＳ２−１１で、上記該当制御局（例えば３００−１）内のローカルＴＭＮ中継器３０１は、自分の内部にモデル化された管理オブジェクトの中で該当管理オブジェクトを削除した後、その成功か否かの結果信号を上記ＢＳＭ２００内のＴＭＮ中継器２０１を介して上記ＴＭＮ網管理センター１００に伝送する。
【００６２】
次いで、ステップＳ２−１２で、上記ＴＭＮ網管理センター１００は、上記該当制御局３００−１内のローカルＴＭＮ中継器３０１から管理オブジェクトの削除に関する成功か否かの結果信号を受信した後、その結果信号に応じてＴＭＮ方式を利用して該当制御局３００−１を管理する。
【００６３】
また、上記ステップＳ２−２でＣＭＩＳＥサービス管理命令語が上記ＢＳＭ２００に該当する命令語であるならば、ステップＳ２−１３で、上記ＢＳＭ２００内のＴＭＮ中継器２０１は、そのＣＭＩＳＥサービス管理命令語に応じて自分のサブブロック２０２−１〜２０２−ｎに対する状態情報の収集動作、サブブロックリセット動作、管理オブジェクト生成動作、または管理オブジェクトの削除動作を行った後、その結果値を上記ＴＭＮ網管理センター１００に伝送する。
【００６４】
以下では、上記ステップＳ２−１３のさらに具体的な動作過程について図１３を参照しながら説明する。
【００６５】
まず、ステップＳ２−１３−１で、上記ＢＳＭ２００内のＴＭＮ中継器２０１は、そのＣＭＩＳＥサービス管理命令語が状態情報の収集命令語であるか、サブブロックリセット命令語であるか、管理オブジェクトの生成命令語であるか、又は、管理オブジェクトの削除命令語であるか否かを判断する。
【００６６】
この場合、上記ステップＳ２−１３−１でそのＣＭＩＳＥサービス管理命令語が状態情報の収集命令語であるならば、ステップＳ２−１３−２で、上記ＢＳＭ２００内のＴＭＮ中継器２０１は、図２に示された管理オブジェクトクラスを利用して該当サブブロック２０２−１〜２０２−ｎの状態情報を収集する。
【００６７】
次いで、ステップＳ２−１３−３で、上記ＢＳＭ２００内のＴＭＮ中継器２０１は、その収集された該当サブブロック２０２−１〜２０２−ｎの状態情報を上記ＴＭＮ網管理センター１００に伝送する。
【００６８】
一方、上記ステップＳ２−１３−２でそのＣＭＩＳＥサービス管理命令語がサブブロックリセット命令語であるならば、ステップＳ２−１３−４で、上記ＢＳＭ２００内のＴＭＮ中継器２０１は、図２に示された管理オブジェクトクラスを利用して該当サブブロック２０２−１〜２０２−ｎを強制的にリセットさせた後、その成功か否かの結果信号を上記ＴＭＮ網管理センター１００に伝送する。
【００６９】
それに対し、上記ステップＳ２−１３−２でそのＣＭＩＳＥサービス管理命令語が管理オブジェクトの生成命令語であるならば、ステップＳ２−１３−５で、上記ＢＳＭ２００内のＴＭＮ中継器２０１は、図２に示された管理オブジェクトクラス中で該当サブブロック２０２−１〜２０２−ｎを生成した後、その成功か否かの結果信号を上記ＴＭＮ網管理センター１００に伝送する。
【００７０】
また、ステップＳ２−１３−２でそのＣＭＩＳＥサービス管理命令語が管理オブジェクトの削除命令語であるならば、ステップＳ２−１３−６で、上記ＢＳＭ２００内のＴＭＮ中継器２０１は、図２に示された管理オブジェクトクラスの中で該当サブブロック２０２−１〜２０２−ｎを削除した後、その成功か否かの結果信号を上記ＴＭＮ網管理センター１００に伝送する。
【００７１】
次いで、ステップＳ２−１４で、上記ＴＭＮ網管理センター１００は、上記ＢＳＭ２００内のＴＭＮ中継器２０１からサブブロック状態情報の収集動作、サブブロックリセット動作、管理オブジェクトの生成動作、または管理オブジェクトの削除動作に関する結果信号を受信した後、その結果信号に応じてＴＭＮ方式を利用して上記ＢＳＭ２００を管理する。
【００７２】
尚、本発明の技術思想は、上記好適実施の形態によって具体的に記述されたが、上記した実施の形態はその説明のためのものであって、その制限のためのものでないことに留意されるべきである。また、本発明の技術分野の当業者であるならば、本発明の技術思想の範囲内で種々の実施の形態が可能であることを理解されるべきである。
【００７３】
【発明の効果】
以上説明したように本発明によれば、標準化された網管理の方法は、ＴＭＮ方式を利用してＩＭＴ−２０００通信網を標準化された方法で管理し得るようにすることによって、管理オブジェクトの拡張性及び再使用性、そしてシステム管理の最適化をなし得るだけでなく、ＴＭＮ方式の適用範囲をＢＳＭのみでなく、制御局まで適用させて管理するために、ＩＭＴ−２０００通信網をより效率的に管理できるようにする優れた効果がある。
【図面の簡単な説明】
【図１】本発明の実施形態のＩＭＴ−２０００システムにおけるＴＭＮを利用した移動体通信網の管理装置の構成を示す機能ブロック図である。
【図２】図１のＩＭＴ−２０００システムにおけるＴＭＮを利用した移動体通信網の管理装置におけるＢＳＭ及び複数個の制御局内に存在するＴＭＮ管理オブジェクトクラスのモデル化の図である。
【図３】図２のＢＳＭ及び複数個の制御局内に存在するＴＭＮ管理オブジェクトクラスのモデル化過程を概念的に説明するための概念図である。
【図４】図２のＢＳＭ及び複数個の制御局内に存在するＴＭＮ管理オブジェクトクラスの中で、現在ＴＭＮの標準管理の情報モデルを再使用した管理オブジェクトクラス集合を示す図である。
【図５】図２のＢＳＭ及び複数個の制御局内に存在するＴＭＮ管理オブジェクトクラスの中で、現在ＴＭＮの標準管理の情報モデルを変更させて使用した管理オブジェクトクラス集合を示す図である。
【図６】図２のＢＳＭ及び複数個の制御局内に存在するＴＭＮ管理オブジェクトクラスの中で、新規に規定した管理オブジェクトクラスの集合を示す図である。
【図７】本発明の実施形態のＩＭＴ−２０００システムにおけるＴＭＮを利用した移動体通信網の管理方法の、基地局または制御局内サブブロックから状態情報が発生した時のＴＭＮを利用した移動体通信網の管理方法を示すフローチャートである。
【図８】本発明の実施形態のＩＭＴ−２０００システムにおけるＴＭＮを利用した移動体通信網の管理方法の、ＴＭＮ網管理センターからＣＭＩＳＥサービス管理命令語が発生した時のＴＭＮを利用した移動体通信網の管理方法を示すフローチャートである。
【図９】本発明の実施形態のＩＭＴ−２０００システムにおけるＴＭＮを利用した移動体通信網の管理方法の、ＴＭＮ網管理センターからＣＭＩＳＥサービス管理命令語が発生した時のＴＭＮを利用した移動体通信網の管理方法を示すフローチャートである。
【図１０】本発明の実施形態のＩＭＴ−２０００システムにおけるＴＭＮを利用した移動体通信網の管理方法の、ＴＭＮ網管理センターからＣＭＩＳＥサービス管理命令語が発生した時のＴＭＮを利用した移動体通信網の管理方法を示すフローチャートである。
【図１１】ＴＭＮ網管理センターからＣＭＩＳＥサービス管理命令語が発生した時のＴＭＮを利用した移動体通信網の管理方法の、ステップＳ２−５の細部動作過程を示すフローチャートである。
【図１２】図６のＴＭＮ網管理センターからＣＭＩＳＥサービス管理命令語が発生した時のＴＭＮを利用した移動体通信網の管理方法の、ステップＳ２−７の細部動作過程を示すフローチャートである。
【図１３】図６のＴＭＮ網管理センターからＣＭＩＳＥサービス管理命令語が発生した時のＴＭＮを利用した移動体通信網の管理方法の、ステップＳ２−１３の細部動作過程を示すフローチャートである。
【符号の説明】
１００  ＴＭＮ網管理センター
２００  ＢＳＭ
２０１−１〜２０１−ｎ  ＴＭＮ中継器
３００−１〜３０１−ｎ  制御局
３０１  ローカルＴＭＮ中継器
４００−１〜４００−ｎ  基地局
４０１  サブブロック状態管理部
【図１】
0003609747.tif 000002
【図２】
0003609747.tif 000003
【図３】
0003609747.tif 000004
【図４】
0003609747.tif 000005
【図５】
0003609747.tif 000006
【図６】
0003609747.tif 000007
【図７】
0003609747.tif 000008
【図８】
0003609747.tif 000009
【図９】
0003609747.tif 000010
【図１０】
0003609747.tif 000011
【図１１】
0003609747.tif 000012
【図１２】
0003609747.tif 000013
【図１３】
0003609747.tif 000014